(57)【要約】  【課題】  本発明は、開扉装置を用いて最適に開扉する冷蔵庫を得ることを目的とする。  【解決手段】  駆動源に通電されると押圧部材３７を突き出し前記扉面を押圧して開扉する開扉装置３０と、この開扉装置３０を駆動させる駆動信号を使用者の操作により出力する開扉スイッチ２７ａ，２７ｂと、扉２０ａ，２０ｂの開閉状態を検知して開扉信号と閉扉信号を出力するドアスイッチ２６ａ，２６ｂと、このドアスイッチ２６ａ，２６ｂから閉扉信号が出力されているときに、開扉スイッチ２７ａ，２７ｂから駆動信号が出力されると、開扉装置３０に通電して開扉する制御手段５０とを備え、この制御手段５０は、開扉装置３０への通電を、ドアスイッチ２６ａ，２６ｂにより開扉信号が出力されてから所定時間経過した後に遮断させる。  【選択図】  図１
2005214487.tif 000002
【特許請求の範囲】
【請求項１】
本体貯蔵室の前面開口部に開閉自在に設けた扉と、駆動源に通電されると押圧部材を突き
出し前記扉面を押圧して開扉する開扉装置と、この開扉装置を駆動させる駆動信号を使用
者の操作により出力する開扉スイッチと、前記扉の開閉状態を検知して開扉信号と閉扉信
号を出力するドアスイッチとを備え、このドアスイッチから閉扉信号が出力されている状
態で前記開扉スイッチから駆動信号が出力されると開扉装置への通電を開始して、前記ド
アスイッチにより開扉信号が出力されてから所定時間経過するまで通電を継続させること
を特徴とする冷蔵庫。
【請求項２】
本体貯蔵室の前面開口部に開閉自在に設けられた観音開き式の左扉および右扉と、この左
右扉面をそれぞれ押圧して開扉する左開扉装置および右開扉装置と、使用者の操作により
この左右開扉装置をそれぞれ駆動させる左右駆動信号を出力する左開扉スイッチおよび右
開扉スイッチと、前記左右扉の開閉状態を検知してそれぞれの開扉信号と閉扉信号を出力
する左ドアスイッチおよび右ドアスイッチとを備え、
この左右ドアスイッチから共に閉扉信号が出力されている状態で、一方の前記開扉スイ
ッチから駆動信号が出力されると対応する開扉装置への通電を開始して、前記対応するド
アスイッチにより開扉信号が出力されてから所定時間経過するまで所定電圧で通電を継続
させるとともに、
この左右ドアスイッチのいずれか一方から開扉信号が出力されている状態で、他方の前
記左開扉スイッチまたは右開扉スイッチから駆動信号が出力された場合には、対応する左
ドアスイッチまたは右ドアスイッチにより開扉信号が出力されてから、前記所定時間より
も短い時間経過するまで、または所定電圧よりも低い電圧で通電を継続させることを特徴
とする冷蔵庫。
【請求項３】
開扉装置へ通電する際に、駆動信号が出力されてから開扉信号が出力されるまでの時間が
、予め設定された通電変更時間以下である場合には、所定時間を短くまたは通電電圧を低
くして通電させることを特徴とする請求項１または２に記載の冷蔵庫。
【発明の詳細な説明】
【技術分野】
【０００１】
本発明は、貯蔵室扉を押圧部材の突き出しによって開放する開扉装置を備えた冷蔵庫に
関する。
【背景技術】
【０００２】
近年、冷蔵庫は食生活の多様化とともに収納量も大型化傾向にあり、特に家庭用冷蔵庫
においては、収納内容積が４００リットルを超えるクラスが主流となり、冷蔵庫本体の高
さや幅寸法も大きくなる傾向にある。
【０００３】
これにともなって、冷蔵室や冷凍室、野菜室の扉も大型化しており、特に貯蔵容積の大
きい冷蔵室の扉内側における収納ポケットは、高さと幅寸法の拡大とともに奥行寸法も増
大して多くの食品を収納する傾向にあり、扉自体が大きいこともあって、開扉のために大
きな力を必要とし、非力な女性や高齢者の場合は負担が大きくなる問題があった。
【０００４】
上記問題を解決する構成として、近年、使用者のハンドルスイッチ操作により本体側か
らノックピンが突出して扉面を押圧し開扉する電磁ソレノイド式の扉開放装置を備えた冷
蔵庫が市場に供されており、扉の開放に負担を要しない商品として評価されている（例え
ば、特許文献１）。
【０００５】
この種の開扉装置としては、扉前面に設けられた開扉スイッチが操作されると、電磁ソ
レノイドに所定時間通電されて、初期位置から押圧部材を前方に突出させて扉を押圧開放
するとともに、所定時間後は、通電を遮断して引込用スプリングの付勢力により引き込ま
れ、バネ力により初期位置に戻るようになっている。
【特許文献１】特開２００１−５９６７５号公報
【発明の開示】
【発明が解決しようとする課題】
【０００６】
しかしながら、上記した特許文献１の開扉装置の構成では、予め設定された電圧を所定
時間に亙って電磁ソレノイドに供給するものであるため、扉の閉扉時間、収納ポケットの
載置量などに応じて、開扉に要する力が変化すると、扉の開放が弱すぎて十分に開扉する
ことができなかったり、一方、強すぎて収納ポケットに載置されている食品が落下するな
どの不具合があった。
【０００７】
本発明は上記問題を考慮してなしたものであり、冷蔵庫扉における収納ポケットの負荷
状態などに拘わらず、最適に自動開扉させる冷蔵庫を提供することを目的とする。
【課題を解決するための手段】
【０００８】
本発明は、本体貯蔵室の前面開口部に開閉自在に設けた扉と、駆動源に通電されると押
圧部材を突き出し前記扉面を押圧して開扉する開扉装置と、この開扉装置を駆動させる駆
動信号を使用者の操作により出力する開扉スイッチと、前記扉の開閉状態を検知して開扉
信号と閉扉信号を出力するドアスイッチとを備え、このドアスイッチから閉扉信号が出力
されている状態で前記開扉スイッチから駆動信号が出力されると開扉装置への通電を開始
して、前記ドアスイッチにより開扉信号が出力されてから所定時間経過するまで通電を継
続させることを特徴とする。
【発明の効果】
【０００９】
上記発明によれば、冷蔵庫扉の負荷状態によって開扉に要する力が大きく変化するマグ
ネットガスケットの引き剥し時まで、具体的にはドアスイッチにより開扉信号が出力され
るまでは必ず開扉装置に通電することができ、また、開扉に要する力が大きく変化しない
開扉後は、所定時間通電して開扉装置への給電を遮断することにより、最適に扉を開放す
ることができる。
【発明を実施するための最良の形態】
【００１０】
以下に、本発明の実施形態について説明する。図５は本発明の冷蔵庫を示す斜視図であ
り、図６は図５の冷蔵庫を開扉させた状態を示すものである。この図５，図６において、
周知構造の断熱箱体として構成された冷蔵庫本体１内には、冷蔵室２、野菜室３、製氷室
４、内部温度を複数段階に切替可能な切替室５、冷凍室６を上から順に設け、製氷室４及
び切替室５は左右に並んで配設している。
【００１１】
上記冷蔵室２の前面開口部には、左右両端をそれぞれ枢支したいわゆる観音開き式扉を
構成する左扉２０ａと右扉２０ｂとを設け、野菜室３、製氷室４、切替室５及び冷凍室６
の各前面には、それぞれの貯蔵容器（図示せず）を連結た引出式の扉３ａ、４ａ、５ａ及
び６ａを設けている。左右扉２０ａ，２０ｂの裏面側の周縁部には、マグネットガスケッ
ト２１ａ，２１ｂを取り付けており、左右扉２０ａ，２０ｂは、そのマグネットガスケッ
ト２１ａ，２１ｂが冷蔵庫本体１のフランジ部１ａに吸着することにより閉鎖状態に保持
される構成となっている。なお、図示しないが、他の扉３ａ、４ａ、５ａ及び６ａの裏面
側の周縁部にもマグネットガスケットを取り付けている。
【００１２】
マグネットガスケット２１ａ，２１ｂの内側には、上下に延在させた一対のビード部２
２ａをそれぞれ形成しており、このビード部２２ａには、食品を収納する収納ポケット２
３ａ，２３ｂを設けている。また、右扉２０ｂと対向する左扉２０ａのビード部２２ａに
は、閉扉した状態で左右扉のマグネットガスケット２１ａ，２１ｂが吸着して扉間の隙間
を閉塞する回転仕切板２５を設けている。この回転仕切板２５は、本体上部に設けたピン
１ｂが回転仕切板２５の上面に形成した溝内を、左扉２０ａの開閉動作に応じて摺動する
ことにより、回転するようになっている。
【００１３】
左右扉２０ａ，２０ｂの前面部には、左開扉スイッチ２７ａと右開扉スイッチ２７ｂと
を取り付けており、左開扉スイッチ２７ａを押圧すると左扉２０ａを開扉する開扉信号が
出力され、右開扉スイッチ２７ｂを押圧すると右扉２０ｂを開扉する開扉信号が出力され
る。なお、左開扉スイッチ２７ａを押圧すると右扉２０ｂを開扉する開扉信号を出力して
もよい。
【００１４】
具体的には、左右開扉スイッチ２７ａ，２７ｂが押圧操作されたときにオンされる常開
型のマイクロスイッチなどの機械的スイッチを内蔵した構成となっている。なお、フォト
インタラプタを利用した光学的なスイッチ或いは磁気的なスイッチなどにより構成するこ
とも可能である。
【００１５】
左扉２０ａを開扉する際の冷蔵庫１を示す上面図である図７にも示すように、冷蔵室２
の左右側壁には、左右扉２０ａ，２０ｂのそれぞれの開閉状態を検知するドアスイッチ２
６ａ，２６ｂを設けている。このドアスイッチ２６ａ，２６ｂは、ボタン２６´がビード
部２２ａ，２２ｂによって押圧されると扉２０ａ，２０ｂが閉扉されたと見做して閉扉信
号を出力し（ＯＦＦ状態）、扉２０ａ，２０ｂが開放されていくとボタンへの押圧が徐々
に開放されていき、ボタンがそのばね力によりある程度まで突出すると、扉２０ａ，２０
ｂが開放されたと見做して開扉信号を出力するようになっている（ＯＮ状態）。
【００１６】
冷蔵庫本体１の天井部には、冷蔵室２の左扉２０ａおよび右扉２０ｂをそれぞれ独立に
開放させる開扉装置３０を取り付けており、この開扉装置３０は、左開扉機構部３１と右
開扉機構部３２と併設させている。
【００１７】
以下に左開扉機構部３１について説明する。冷蔵庫１の上部の断面構造を示す図１１に
示すように、開扉機構部３１，３２は、冷蔵庫本体１の天井部に形成された凹部１ｃ内に
半埋め込み状態で設置されるものであり、合成樹脂製のケース３３内に駆動源として直流
駆動される電磁ソレノイド３４を収納した形態となっている。
【００１８】
この電磁ソレノイド３４は、円筒状に形成されたコイルを樹脂モールドしたコイルユニ
ット３５と、このユニット内にこれを貫通した状態で軸方向に移動可能に設けられた磁性
体製のプランジャー３６と、このプランジャー３６に対し同軸状に固定された非磁性金属
より成る押圧部材３７とを主たる構成要素としたもので、コイルユニット３５のコイルに
通電されると（以下、通電状態とする）プランジャー３６及び押圧部材３７が扉２０ａ方
向へ付勢される構成となっている。
【００１９】
プランジャー３６の後部には抜外れを防止するための例えばＣリングよりなる鍔部３６
ａを設けており、当該プランジャー３６の周りには、上記鍔部３４ａ及びコイルユニット
３５間で伸長力を作用させるようにしてコイルばねより成る引込用スプリング３８を設け
ている。
【００２０】
上記した構成により、電磁ソレノイド３４に通電されると、押圧部材３７が前方に突き
出されて左扉２０ａを押圧し、自動的に開扉するようになっており、通電が遮断されると
引込用スプリング３８のばね力により初期位置に戻されるようになっている。
【００２１】
右開扉機構部３２は、左開扉機構部３１と同一構成であるためその説明を省略するが、
右開扉機構部３２の電磁ソレノイド３４に通電されると、右扉２０ｂを自動的に開扉する
ようになっている。
【００２２】
さて、図７に示すように、右開扉機構部３２は、左開扉機構部３１よりもヒンジ側に設
置されているが、これは、左扉２０ａに回転仕切板２５を設けていることから開扉する際
に要する力が右扉２０ｂよりも要することから、右開扉機構部３２の押圧力を低減させる
ことにより、左右扉２０ａ，２０ｂの開扉速度をほぼ均一にすることができるからである
。
【００２３】
なお、右開扉機構部３２と左開扉機構部３１とを対称に配置させる場合には、押圧力を
通電時間や供給電圧により可変させて、左開扉機構部３１の押圧力を右側より強くするこ
とにより、左右扉２０ａ，２０ｂの開扉速度をほぼ均一にすることも可能である。また、
左右扉２０ａ，２０ｂの大きさが異なる場合も、適宜配置場所や押圧力を適宜変更するこ
とが好ましい。
【００２４】
次に、本発明の制御回路について、制御ブロック図である図１０を参照して説明する。
【００２５】
制御装置５０は、左ドアスイッチ２６ａおよび右ドアスイッチ２６ｂから、左右扉２０ａ
，２０ｂの開扉状態に応じて開扉信号または閉扉信号が入力され、左開扉スイッチ２７ａ
、右開扉スイッチ２７ｂから駆動信号が入力される。
【００２６】
制御装置５０は、これらの信号に基づき、閉扉信号が入力されているときに駆動信号が
入力されると、左開扉回路５１または右開扉回路５２にＯＮ信号を出力する。
【００２７】
左開扉回路５１について説明する。電磁ソレノイド３４の一端子は図示しない倍電圧整
流回路の正の出力端子に接続され、他端子は駆動用のＦＥＴ６１のドレイン側と接続して
いる。また、電磁ソレノイド３４の両端子には、ダイオード６２を並列に接続している。
【００２８】
このＦＥＴ６１は、閉扉信号中に左開扉スイッチ２７ａの駆動信号が制御装置５０に入
力されると、制御装置５０からの指令によりオンされるようになっている（制御電源は、
例えば直流１５Ｖ、駆動電源は、例えば直流２００Ｖ）。
【００２９】
ＦＥＴ６１をオンオフ駆動する具体的な構成について説明する。制御装置５０からの出
力側の端子がｎｐｎ型のトランジスタ７１のベース側と接続されており、この第１トラン
ジスタ７１のコレクタ側は抵抗６９を介してｐｎｐ型の第２トランジスタ３７のコレクタ
側と接続されて制御電源が供給されているとともに、エミッタ側は第２トランジスタ６７
と第３トランジスタ６８のベース側と接続され、また、抵抗７０を介してグランドと接続
されている。
【００３０】
第２トランジスタ６７のエミッタ側は、ｐｎｐ型の第３トランジスタ６８のエミッタ側
と接続されているとともに、抵抗６４を介してＦＥＴ６１のソース側と接続されている。
【００３１】
また、この抵抗６４は、抵抗６６とダイオード６５とを直列に接続した回路と並列に接続
され、この抵抗６４とＦＥＴ６１のゲート間は、抵抗６３を介してグランドと接続されて
いる。
【００３２】
上記構成の場合、制御装置５０からＯＮ信号が入力されると、第１トランジスタ７１が
オンする。すると第２トランジスタ６７のコレクタ側には制御電圧が供給されているため
、第２トランジスタ６７がオンして、コレクタ−エミッタ間に電流が流れる。そして、第
３トランジスタ６８のベース側への電流が遮断されるため、第３トランジスタ６８がＯＦ
ＦしてＦＥＴ６１がオンされる。一方、制御装置５０からのＯＮ信号が遮断されると、第
１トランジスタ７１がオフし、ＦＥＴ６１のゲート残留電荷により接地された抵抗７０を
通して、第３トランジスタ６８のベース電流が流れるため、第３トランジスタがＯＮし、
ＦＥＴ６１のゲート電荷が引き抜かれてＦＥＴ６１がＯＦＦする。
【００３３】
また、ＦＥＴ６１は、ＯＮ時間（パルス幅）を変化させることにより、出力電圧を時間
比率制御するＰＷＭ制御で駆動制御するようになっており、ＦＥＴ６１のＯＮ信号（ＰＷ
Ｍ信号）は、使用者の耳に聞こえにくい周波数、例えば、８ｋＨｚ以上としている。
【００３４】
人の平均可聴域で最も敏感に反応する聴域は４ｋＨｚ近辺とされており、この近辺のＰ
ＷＭ信号で電磁ソレノイド３４に通電すると、本実施例に示すように、押圧部材３７の先
端は左右扉２０ａ，２０ｂと当接していることから、上記ＰＷＭ信号が左右扉２０ａ，２
０ｂに伝達されて振動音が発生し、使用者には騒音と感じられることがある。また、ＰＷ
Ｍ信号が低すぎたのでは、押圧部材３７を十分に突き出すことができない。このため、騒
音と感じる聴域を除外して確実に開扉できるように、高周波数である８ｋＨｚ以上のＰＷ
Ｍ信号に設定している。
【００３５】
なお、右開扉回路５２については、左開扉回路５１と同構成であるため、その説明を省
略する。
【００３６】
次に、左扉２０ａを開扉する際の開扉装置３０の動作について、タイムチャートを示す
図１を参照して説明する。
【００３７】
左扉２０ａが開扉されている状態では、開扉装置３０の左開扉機構部３１を動作させる
必要がないため、左ドアスイッチ２６ａがＯＦＦしているとき、すなわち閉扉信号が出力
されているときに、使用者によりｔａのタイミングで左開扉スイッチ２７ａが押圧されて
ＯＮすると、制御装置５０に駆動信号を出力して、左開扉機構部３１に通電する。
【００３８】
左開扉機構部３１の駆動により押圧部材３７は突き出されて左扉２０ａを押圧し、マグ
ネットガスケット２１ａの吸着を引き剥がして、ｔｂのタイミングで図７に示すように左
ドアスイッチ２６ａがＯＮして開扉信号を出力する。
【００３９】
制御装置５０は、この開扉信号を受けると左扉２０ａがマグネットガスケット２１ａを
引き剥がして所定の位置まで開扉されているものと見做して、このｔｂのタイミングから
ｔｃまでの所定時間、例えば０．１秒間通電して、更に左扉２０ａを完全に開扉させるよ
うになっている。
【００４０】
上記構成によれば、ドアスイッチにより開扉信号が出力されてから所定時間経過するま
で開扉装置への通電を行うようにしたため、確実に開扉させることができる。
【００４１】
従来では、開扉スイッチがＯＮされると、単に予め設定された電圧を所定時間、例えば
、０．２秒〜０．３秒に亙って電磁ソレノイドに供給するものであるため、扉の閉扉時間
、収納ポケットの載置量などに応じて、開扉に要する力が変化すると、扉の開放が弱すぎ
て十分に開扉することができなかったり、一方、強すぎて収納ポケットに載置されている
食品が落下するなどの不具合があった。
【００４２】
具体的には、冷蔵庫の扉を開扉する力は、閉扉後の時間経過により左右される。閉扉し
た直後よりも、閉扉してからある程度時間経過したときの方が庫内温度が低温となるため
、庫内空気の圧縮により庫内の圧力は低下し、大気圧と庫内圧力との差が大きくなる。
【００４３】
一般的に、外気より庫内圧力が低いということは、扉を開放する際に閉扉する方向に付
勢される力が大きいということであり、マグネットガスケットを引き剥がして開扉するた
めに必要とされる力も当然大きくなるため、所定電圧を同じように電磁ソレノイドに供給
しても開扉することができなかったり、開扉速度が速すぎることがあった。
【００４４】
また、収納ポケットに載置されている食品の重量や、マグネットガスケットに汚れが付
着していると、その粘性により、開扉に要する力が変化する。
【００４５】
したがって、本発明によれば、開扉に要する力が大きく変化するマグネットガスケット
の引き剥し時まで、具体的には、ドアスイッチにより開扉信号が出力されるまでは、必ず
開扉装置に通電することができ、また、開扉に要する力が大きく変化しない開扉後は、所
定時間まで開扉装置への給電を継続させることにより、最適に扉を開放することができる
。
【００４６】
なお、本実施例では、観音開き式の冷蔵庫で説明したが、本発明においては一枚扉でも
、同様の効果を奏することができる。
【００４７】
また、開扉スイッチがＯＮされてからドアスイッチが開扉信号をＯＮするまでのｔａ〜
ｔｂ間は上限値、例えば１．５秒間を定めることが好ましい。通常は、０．２〜０．３秒
であるが、扉の前面に障害物があるなど開扉できない状態で無制限に通電すると、電磁ソ
レノイドが高温化し焼ききれてしまう恐れがあるためである。したがって、このような不
具合が生じることがないように実験などで得た上限値を設定しておくことにより、かかる
不都合を防止することができる。
【００４８】
さらに、開扉を検知したタイミングｔｂ後は、マグネットガスケットの引き剥がし時よ
りも開扉力を必要としないため、ＰＷＭデユーティーを可変して出力電圧を低下させたり
、図１の破線でしめすように出力電圧を徐々に低下させるようにしてもよい。
【００４９】
次に他の実施例について、一方が開扉されている状態で他方の扉が開扉される開扉装置
の動作を示すタイムチャートである図２、右扉を開扉する際の冷蔵庫を示す上面図である
図８、右扉が開扉されている状態で左扉を開扉する際の冷蔵庫を示す上面図である図９を
参照して説明する。なお、同構成のものについては、重複するため、その説明を省略する
。
【００５０】
左右扉２０ａ，２０ｂが共に閉扉されている状態で、いずれか一方、ここでは右開扉ス
イッチ２６ｂがｔｄのタイミングでＯＮされると、右開扉機構部３２に通電して、図８に
示すように、右扉が開扉するｔｅのタイミングで右ドアスイッチ２６ｂが開扉信号をＯＮ
すると、ｔｅ〜ｔｆまでの所定時間、ここでは０．１秒間通電して右扉２０ｂを開扉する
。この場合、右ドアスイッチ２７ｂは継続してＯＮ状態となっている。
【００５１】
いずれか一方の扉が開扉されている状態では負圧になっておらず、また一方のマグネッ
トガスケット２１ａ，２１ｂは回転仕切板２５に吸着していないことから、閉扉されてい
るときよりも必要とされる力が低減される。したがって、閉扉されているときと同様の力
で開扉させると、押圧部材の突き出しが強すぎて収納ポケットに載置された食品が落下す
るなどの不具合が生じる場合がある。
【００５２】
そこで、本実施例では、開扉されてから通電を遮断するまでの所定時間を、一方が閉扉
されているときよりも短くしている。
【００５３】
具体的には、ｔｇのタイミングで、開扉されていない他方の扉、ここでは左扉２０ａを
開扉するために、使用者が左開扉スイッチ２７ａをＯＮさせると、左開扉機構部３１の電
磁ソレノイド３４に通電して、左扉２０ａを押圧部材３７により押圧する。
【００５４】
そして、図９に示すようにマグネットガスケット２０ａが引き剥がされて、ｔｈのタイ
ミングで左ドアスイッチ２７ａの開扉信号がＯＮされると、このｔｈのタイミングから閉
扉されているときの所定時間よりも短い、短縮時間、ここでは０．０５秒間通電して、ｔｉのタイミングで通電を終了するようになっている。
【００５５】
上記した構成によれば、いずれか一方の扉が開扉されている状態で他方の扉を開扉する
ときには、開扉されてから通電を遮断するまでの所定時間を、閉扉されているときよりも
短くして、開扉力を低減させることにより、最適に開扉することができる。
【００５６】
この場合、図２の点線で示すように、通電時間を短縮する替わりに、ＰＷＭデューティ
を可変して、電磁ソレノイド３４への給電電圧を、例えば７０％〜８０％に低減させて通
電しても、同様に開扉力を低減させることができる。
【００５７】
また、回転仕切板２５が取り付けられている扉、ここでは左扉２０ａを開扉する際に最
も負荷がかかるのは回転仕切板２５を回転させるときであり、冷蔵庫の形態によっては、
左ドアスイッチ２６ａがＯＮ状態となっても、回転仕切板２５が回転中の場合があるため
、右扉２０ｂが開扉されていても、左扉２０ａへの開扉力は低減させない方がよいことも
ある。したがって、かかる場合には、回転仕切板を有しない扉のみに適用することが好ま
しい。
【００５８】
さらに他の実施例について、開扉スイッチがＯＮされてからドアスイッチがＯＮするま
での時間が通電変更時間よりも短い場合の開扉装置の動作を示すタイムチャートである図
３、長い場合の開扉装置の動作を示すタイムチャートである図４を参照して説明する。な
お、同構成のものについては、重複するため、その説明を省略する。
【００５９】
上述したように、開扉に要する力は、冷蔵庫１の使用状況によって大きく変化すること
から、適宜、開扉力を変化させることが好ましいのであるが、本実施例においては、開扉
スイッチがＯＮされてからドアスイッチがＯＮするまでの時間に基づいて、開扉力を変化
させる。
【００６０】
具体的には、図３に示すように、いずれか一方、ここでは左扉２０ａを開放するときに
、使用者によりｔｊのタイミングで左開扉スイッチ２７ａがＯＮされると、左開扉機構部
３１への通電を開始して押圧部材３７により左扉２０ａを押圧する。
【００６１】
このとき、ｔｊのタイミングから左ドアスイッチ２６ａがＯＮするまでの時間を制御装
置５０で計測しておき、この測定時間と、予め設定している通電切替時間、例えば０．５
秒とを比較する。この測定時間が通電切替時間よりも短い場合には、特に開扉力を強くす
る必要はないと判断して、左ドアスイッチ２６ａがＯＮしたｔｋのタイミングから、通常
通りの所定時間、例えば０．１秒、または所定時間よりも短い短縮時間、例えば０．０５
秒間通電して、ｔｌのタイミングで通電を終了する。
【００６２】
一方、図４に示すように、ｔｊのタイミングから左ドアスイッチ２６ａがＯＮするまで
の測定時間が通電切替時間よりも長い場合には、開扉力を強くする必要があると判断して
、左ドアスイッチ２６ａがＯＮしたｔｍのタイミングから、所定時間よりも長い延長時間
、例えば０．１５秒間、または通常通りの所定時間、例えば０．１秒間通電して、ｔｎの
タイミングで通電を終了する。
【００６３】
上記した構成によれば、開扉されるまでに要した時間に基づいて、通電時間を変更する
ため、収納ポケットに載置された食品負荷の影響により開扉に必要とされる力が変化して
も、開扉装置の開扉力を最適に可変することができる。なお、本実施例では、一枚扉の冷
蔵庫においても同様の効果を奏することができるとともに、通電時間の変更の替わりにＰ
ＷＭデューティを可変して出力電圧を増減させてもよい。
【００６４】
上述した本発明の実施形態は一実施例であり、種々の組み合わせ、例示した数値を最適
化させてもよい。また、開扉装置は、電磁ソレノイドの通電により押圧部材を突き出す機
構に限らず、種々の変更が可能である。
【産業上の利用可能性】
【００６５】
上述したように、本発明によれば、開扉装置を用いて最適に開扉することができ、開扉
装置を備えた種々の冷蔵庫に適応可能である。
【図面の簡単な説明】
【００６６】
【図１】本発明の開扉装置の動作を示すタイムチャートである。
【図２】本発明の左右開扉機構部の動作を示すタイムチャートである。
【図３】本発明の測定時間が短い場合の開扉装置の動作を示すタイムチャートである。
【図４】本発明の測定時間が長い場合の開扉装置の動作を示すタイムチャートである。
【図５】本発明の冷蔵庫を示す斜視図である。
【図６】図５の開扉した状態を示す斜視図である。
【図７】左扉を開扉する際の冷蔵庫を示す上面図である。
【図８】右扉を開扉する際の冷蔵庫を示す上面図である。
【図９】右扉が開扉された状態で左扉を開扉する際の冷蔵庫を示す上面図である。
【図１０】本発明の制御ブロック図である。
【図１１】本発明の開扉装置を示す縦断面図である。
【符号の説明】
【００６７】
１…冷蔵庫本体                ２０ａ…左扉            ２０ｂ…右扉
２１ａ，２１ｂ…マグネットガスケット      ２２ａ，２２ｂ…ビード
２３ａ，２３ｂ…収納ポケット  ２５…回転仕切体    ２６ａ…左ドアスイッチ
２６ｂ…右ドアスイッチ        ２７ａ…左開扉スイッチ  ２７ｂ…右開扉スイッチ
３０…開扉装置                ３１…左開扉機構部      ３２…右開扉機構部
３４…電磁ソレノイド          ３７…押圧部材          ５０…制御装置
【図１】
2005214487.tif 000003
【図２】
2005214487.tif 000004
【図３】
2005214487.tif 000005
【図４】
2005214487.tif 000006
【図５】
2005214487.tif 000007
【図６】
2005214487.tif 000008
【図７】
2005214487.tif 000009
【図８】
2005214487.tif 000010
【図９】
2005214487.tif 000011
【図１０】
2005214487.tif 000012
【図１１】
2005214487.tif 000013